(57)【要約】      （修正有）【課題】窓枠の間の様な凹凸を有する隙間を挿通させて建物外で電源を得ることのできる延長コードを提供する。【解決手段】延長コード１はプラグ側コード部２とコンセント側コード部３とその間を接続する中央コード部４から成り、プラグ側コード部２とコンセント側コード部３とは２芯の導線を絶縁層で被覆し、中央コード部４は夫々可撓性を有する３本の裸軟銅線を密着させて扁平状に並設した２組の導体を平行させて平型に可撓性を有する絶縁層で被覆すると共に、中央コード部４の両端を夫々接続する前記プラグ側コード部２とコンセント側コード部３との夫々の接続部には夫々固定具５を形成し、プラグ側コード部２にはブレーカー付中間スイッチ６を介装したものである。【選択図】図１
0003144067.tif 000002
【実用新案登録請求の範囲】
【請求項１】
一端にプラグと他端にコンセントとを夫々装着した延長コードであって、前記延長コードはプラグ側コード部とコンセント側コード部とその間を接続する中央コード部から成り、前記プラグ側コード部と前記コンセント側コード部とは２芯の導線を絶縁層で被覆し、前記中央コード部は夫々可撓性を有する３本の裸軟銅線を密着させて扁平状に並設した２組の導体を平行させて平型に可撓性を有する絶縁層で被覆すると共に、前記中央コード部の両端を夫々接続する前記プラグ側コード部と前記コンセント側コード部との夫々の接続部には夫々固定具を形成し、前記プラグ側コード部にはブレーカー付中間スイッチを介装したことを特徴とする延長コード。
【考案の詳細な説明】
【技術分野】
【０００１】
本考案は、延長コードに関するものであり、更に詳細には、、建物内に既設された商業電源と電気的に接続してアルミサッシュの窓枠とサッシ窓枠との間の様な凹凸を有する隙間を挿通させて建物外で電源を得ることのできる延長コードに関するものである。
【背景技術】
【０００２】
従来、延長コードは各種開発され家庭やオフィス等において汎用されており、夫々の生活に役立っているが、通常、一端にプラグを設け、他端にコンセントを設け、その間を２本の導線を平行に配して絶縁層で被覆したコードで接続して、電源から離れた場所でも電源を得られるものである。
【０００３】
然し乍ら、屋外に電源が既設されていない建物の屋外で電源を得ようとすると、建物の中の商業電源から長い延長コードで窓とか扉を半開き状態にして延設しており、使用後はその都度仕舞わなければならなかった。
【０００４】
その為、例えば、先に開示された、接続コード３０は、略扁平形状に形成され、可撓性を有する帯状のコード本体３１内に２本の導電線３２、３２が絶縁部材３３、３３により被覆された状態で配設されているもの（特許文献１参照）や、超薄型の扁平導体２、３を被覆する薄型の被覆材６と、扁平導体２、３の各一端に接続された電気接続端子部材１１とから電気接続端子部材付きの扁平コードを構成するもの（特許文献２参照）が開示されている。
【特許文献１】特開２００３−２９７１５２号公報
【特許文献２】特開２００３−３０８７３９号公報
【考案の開示】
【考案が解決しようとする課題】
【０００５】
然し乍ら、特許文献１記載のものも、サッシと内壁面に形成された凸凹に沿って折り曲げることができるものであるが、２芯の導電線を扁平状に形成して並設しているもので、更に、特許文献２記載のものも、扁平導体は引き抜き加工によって０．５ｍｍ〜２．５ｍｍ程度、幅が５．０ｍｍ〜１５．０ｍｍ程度の極めて肉薄に形成されているものであり、何れも、可撓性は有しているものの一体型の導線は繰り返し屈曲させると切れやすく、また、使用によりコードが傷付いたり断線状態に成ってもチェックできず、気付かずに使用している漏電や短絡の危険性が憂慮されるものである。
【課題を解決するための手段】
【０００６】
前記課題に鑑み、鋭意研鑽の結果、延長コードはプラグ側コード部とコンセント側コード部とその間を接続する中央コード部から成り、プラグ側コード部とプラグ側コード部とは２芯の導線を絶縁層で被覆し、中央コード部は可撓性を有する３本の裸軟銅線を密着させて扁平状に並設した２組の導体を平行させて平型に可撓性を有する絶縁層で被覆すると共に、中央コード部の両端を夫々接続するプラグ側コード部とコンセント側コード部との夫々の接続部には固定具を形成し、プラグ側コード部にはブレーカー付中間スイッチを介装したものである。
【考案の効果】
【０００７】
本考案の延長コードは、プラグ側コード部とコンセント側コード部とその間を接続する中央コード部から成り、中央コード部を可撓性を有する３本の裸軟銅線を密着させて扁平状に並設した２組の導体を平行させて平型に可撓性を有する絶縁層で被覆したことにより、窓枠とサッシ枠との間に挿通させてサッシをロック状態にすることができ、更に、中央コード部の両端の接続部には夫々固定具を形成しているので、窓枠の任意の高さに固定して配線することを可能とし、更には、プラグ側コード部にはブレーカー付中間スイッチを介装したことにより、万が一の断線時や短絡時に通電を遮断することができ、また、不要な時は中間スイッチをオフにしておくもので、安全性も配慮したものである。
【考案を実施するための最良の形態】
【０００８】
以下、本考案の延長コードの実施例の図面を用いて詳細に説明すると、図１は本考案の延長コードの実施例の平面図であり、図２は本考案の延長コードの実施例の要部端面図であり、図３は本考案の延長コードの実施例に用いる錫メッキ軟銅細線の平面図である。
【０００９】
本考案は、延長コードに関するものであり、更に詳細には、建物内に既設された商業電源と電気的に接続してアルミサッシュの窓枠とサッシ窓枠との間の様な凹凸を有する隙間を挿通させて建物外で電源を得ることのできる延長コードに関するものであり、一端にプラグＰと他端にコンセントＣとを夫々装着した延長コード１であって、前記延長コード１はプラグ側コード部２とコンセント側コード部３とその間を接続する中央コード部４から成り、前記プラグ側コード部２と前記コンセント側コード部３とは２芯の導線を絶縁層で被覆し、前記中央コード部４は夫々可撓性を有する３本の裸軟銅線を密着させて扁平状に並設した２組の導体４ａを平行させて平型に可撓性を有する絶縁層４ｂで被覆すると共に、前記中央コード部４の両端を夫々接続する前記プラグ側コード部２と前記コンセント側コード部３との夫々の接続部には夫々固定具５を形成し、前記プラグ側コード部２にはブレーカー付中間スイッチ６を介装したことを特徴とするものである。
【実施例】
【００１０】
即ち、本考案の延長コード１は、一端にプラグＰと他端にコンセントＣとを夫々装着した長さを有した配線コードであり、プラグＰは栓刃を商業電源に挿通させ、コンセントＣは使用機器のプラグの栓刃を挿通させ電気的な接続をさせるもので、その長さは、限定するものは無いが、例えば、３〜１０ｍ程度の任意なものである。
【００１１】
そして、延長コード１は、プラグＰを接続したプラグ側コード部２と、コンセントＣを接続したコンセント側コード部３と、プラグ側コード部２とコンセント側コード部３との間を接続する中央コード部４から成っているものである。
【００１２】
次に、プラグ側コード部２とコンセント側コード部３とは一般的なコードであって、断面が丸形又は矩形型の銅線等の２芯の導線を絶縁性の合成樹脂の絶縁層で被覆したコードを使用するものである。
【００１３】
次いで、中央コード部４は少なくとも窓枠の厚さ以上の長さを有するもので、窓枠とサッシ枠との間の凹凸に沿って建物の内側から外側に挿通させるものであり、図２又は図３に図示するように、夫々可撓性を有する３本の裸軟銅線を密着させて扁平状に並設した２組の導体４ａを平行させて平型に可撓性を有する絶縁層４ｂで被覆したもので、耐屈曲性に優れたものである。
【００１４】
更に、固定具５は、中央コード部４の両端、つまり、プラグ側コード部２とコンセント側コード部３との夫々の接続部に形成しているもので、実施例では、中央コード部４の扁平状の巾方向に膨出するように平板状に形成しているもので、窓枠の近傍に貼着させても、挿通部を形成して釘やビスを挿通させて固定しても良く、窓枠の任意の高い位置に固定できるものである。
【００１５】
更には、ブレーカー付中間スイッチ６は、オンオフを行うタンブラースイッチと、該タンブラースイッチと電気的に接続させたブレーカーが内装されているものであり、また、タンブラースイッチにＬＥＤを組み込んでオン又はオフの表示をさせるものでも良く、プラグ側コード部２に介装しているものである。
【００１６】
そして、本考案の延長コード１の中央コード部４に用いる実施例での撚り合わせた導体４ａの材質は、ＪＩＳ  Ｃ  ３１０２の裸軟銅線であり、その構成は、ｍｍ／本／打は、３×１７／０．１８であり、外形は０．８５×２．５５ｍｍの可撓性を有するもので、被覆する絶縁層４ｂの材質は、可撓性を有した絶縁性ＰＣＶ  白であり、厚みは０．８７５×１．５２５ｍｍとして、中央コード部４の断面の外形は２．６０ｍｍ×１１．２０ｍｍ±０．５０ｍｍに仕上げるもので、長さは窓枠の厚みによって設定できるものである。
【００１７】
更に、電気特性は、絶縁抵抗が５ＭΩ／Ｋｍ以上（２０℃）であり、導体抵抗は１６．５５Ω／Ｋｍ以下（２０℃）であり、耐電圧は５００Ｖ／分であり、各種の使用機器を実装して各種のパターンでテストを繰り返したが、使用に関しては何ら問題は発生しないものである。
【産業上の利用可能性】
【００１８】
本考案の延長コードはプラグ側コード部とコンセント側コード部とその間を接続する中央コード部から成り、中央コード部を可撓性を有する３本の裸軟銅線を密着させて扁平状に並設した２組の導体を平行させて平型に可撓性を有する絶縁層で被覆したことにより、窓枠とサッシ枠との間に挿通させてサッシをロック状態にすることができ、また、カーペット等の下に敷設しても盛り上がりが少なく、更に、中央コード部の両端の接続部には夫々固定具を形成しているので、窓枠の任意の高さの位置や所定の位置に固定して配線することを可能とし、更には、プラグ側コード部にはブレーカー付中間スイッチを介装したことにより、万が一の断線時や短絡時に通電を遮断することができ、また、不要な時は中間スイッチをオフにしておくもので、安全性も配慮した延長コードを提供するものである。
【図面の簡単な説明】
【００１９】
【図１】図１は本考案の延長コードの実施例の平面図である。
【図２】図２は本考案の延長コードの実施例の要部端面図である。
【図３】図３は本考案の延長コードの実施例に用いる裸軟銅細線の導体の平面図である。
【符号の説明】
【００２０】
Ｐ      プラグ
Ｃ      コンセント
１      延長コード
２      プラグ側コード部
３      コンセント側コード部
４      中央コード部
４ａ    導体
４ｂ    絶縁層
５      固定具
６      ブレーカー付中間スイッチ
【図１】
0003144067.tif 000003
【図２】
0003144067.tif 000004
【図３】
0003144067.tif 000005